(57)【要約】【課題】パケットを結合して連続的にデータを処理する無線基地局装置とそのパケット伝送方法を提供する。【解決手段】パケットが連続して入力された時にパケットデータの結合によりＰＤＵ生成を行う。連続して伝送されたパケットデータは、ＦＩＦＯに格納されていてＰＤＵ生成ができる状態にあるとき、既存の回路のようにパケットごとＰａｄｄｉｎｇをせず、最初のパケットの最終ＰＤＵ生成時に次のパケットのパケットデータを連結することができる。さらに、既存の方式では必要なかった複数のパケットデータ情報が必要となるため、連結時のＨＤは同時に２つ以上のパケットデータ情報を持つことになる。これはＦＩＦＯにデータをライトする時点で、記憶しておくことにより的確なＨＤ情報を付加することが可能となる。【選択図】図４
2005150827.tif 000002
【特許請求の範囲】
【請求項１】
携帯端末と無線信号を送受信する無線部と、ベースバンド信号を処理するベースバンド信号処理部と、ネットワークと信号を送受信する伝送路インタフェース部とを有する無線基地局装置において、
前記ベースバンド信号処理部は、前記伝送路インタフェース部より伝送された送信信号を処理して、その処理された信号を前記無線部に伝送する送信ベースバンド信号処理部を備え、
この送信ベースバンド信号処理部は、前記伝送路インタフェース部より伝送される送信信号を格納するＦＩＦＯと、
このＦＩＦＯから読み出したデータをＰＤＵフォーマットに分割してＰＤＵ生成する際に、パケットが連続して入力された時にパケットデータを連結してＰＤＵ生成を行うＰＤＵ生成部とを有することを特徴とする無線基地局装置。
【請求項２】
前記パケットデータを連結する際、ヘッダに２つ以上のパケットデータ情報を持つことを特徴とする請求項１記載の無線基地局装置。
【請求項３】
ＦＩＦＯにシリアルデータを２ｆ（Ｈｚ）クロックでライトし、８ｂｉｔパラレルデータをｆ（Ｈｚ）クロックでリードすることを特徴とする請求項１又は２記載の無線基地局装置。
【請求項４】
携帯端末と無線信号を送受信する無線部と、ベースバンド信号を処理するベースバンド信号処理部と、ネットワークと信号を送受信する伝送路インタフェース部とを有する無線基地局装置のパケット伝送方法であって、
前記伝送路インタフェース部より伝送される送信信号を処理して、その処理された信号を前記無線部に送信する処理にて、前記伝送路インタフェース部より伝送される送信信号を格納するＦＩＦＯから読み出したデータをＰＤＵフォーマットに分割してＰＤＵ生成する際に、パケットが連続して入力された時にパケットデータを連結してＰＤＵ生成を行うことを特徴とする無線基地局装置のパケット伝送方法。
【請求項５】
前記パケットデータを連結する際、ヘッダに２つ以上のパケットデータ情報を持たせることを特徴とする請求項４記載の無線基地局装置のパケット伝送方法。
【請求項６】
ＦＩＦＯにシリアルデータを２ｆ（Ｈｚ）クロックでライトし、８ｂｉｔパラレルデータをｆ（Ｈｚ）クロックでリードすることを特徴とする請求項４又は５記載の無線基地局装置のパケット伝送方法。
【発明の詳細な説明】
【技術分野】
【０００１】
本発明は、移動通信における無線基地局装置のパケットデータの処理方法に関する。
【背景技術】
【０００２】
近年、ユーザの快適な利用を可能にするため、移動通信における無線基地局装置と携帯端末は日々進化している。無線基地局装置の今後の展望としては、高速情報処理ができ、かつコンパクトな無線基地局装置の実現を目指している。
【０００３】
また、複数の通信パケットのヘッダ部の冗長な情報を省き、連結して伝送フレームのヘッダ部を構成し、複数の通信パケットのペイロード部を連結して伝送フレームのペイロード部を構成するパケット通信方法がある（例えば、特許文献１参照）。
【特許文献１】特開平１０−２４７９４２号公報
【発明の開示】
【発明が解決しようとする課題】
【０００４】
しかしながら、これらを実現する上で既存の無線基地局装置の技術を元に機能の向上を図る場合、対応策として大きく２つの要因が考えられる。
【０００５】
１番目は、デバイスの進化によりもたらされるものである。デバイスの進化により高密度設計が可能となったため、既存の回路を集積して処理能力をそのままにコンパクトに実現できる。
【０００６】
２番目は、無線基地局装置の処理方法の見直しである。これは既存の処理方法を工夫することで実現できる。
【０００７】
上記前者の解決策は、デバイスの進化に依存するものが大きい。
【０００８】
そこで本発明は、後者の対応策を実現するため、パケットを結合して連続的にデータを処理する無線基地局装置とそのパケット伝送方法を提供することを目的とする。
【課題を解決するための手段】
【０００９】
上述の課題を解決するため、本発明は、携帯端末と無線信号を送受信する無線部と、ベースバンド信号を処理するベースバンド信号処理部と、ネットワークと信号を送受信する伝送路インタフェース部とを有する無線基地局装置において、前記ベースバンド信号処理部は、前記伝送路インタフェース部より伝送された送信信号を処理して、その処理された信号を前記無線部に伝送する送信ベースバンド信号処理部を備え、この送信ベースバンド信号処理部は、前記伝送路インタフェース部より伝送される送信信号を格納するＦＩＦＯと、このＦＩＦＯから読み出したデータをＰＤＵフォーマットに分割してＰＤＵ生成する際に、パケットが連続して入力された時にパケットデータを連結してＰＤＵ生成を行うＰＤＵ生成部とを有することを特徴とする。
【００１０】
以上の構成によって、パケット生成の処理時間を短縮できる。
【発明の効果】
【００１１】
本発明は、既存の無線基地局装置のパケットデータ伝送方法に新しい処理方法を適応することで、装置の構成を変えずにより多くのデータ送信を可能にした。本発明を実現することで、ユーザアクセスが多く混雑した場合に、パケットデータ送信の処理時間を非常に短縮することができるので、無線基地局装置全体の能力向上に繋がる。
【発明を実施するための最良の形態】
【００１２】
次に、本発明の最良の形態について図面を参照して説明する。
【実施例】
【００１３】
図１は、本発明の無線基地局装置の概略ブロック図である。アンテナ１は、無線基地局装置２と携帯端末間のＲＦ信号の送受信を行う。
【００１４】
ＲＦ部（無線部）４の送受信増幅部１０は、送信ＲＦ信号を増幅する送信アンプと受信ＲＦ信号を増幅する低雑音アンプを装備し、ＲＦ送信信号とＲＦ受信信号を多重分離し、アンテナに接続する。無線信号処理部１１は、ベースバンド信号処理部５からのベースバンドディジタルデータ信号をＤ／Ａ変換し、高周波成分除去後、直行変調によりＲＦ信号に変換する。送受信増幅部１０からの受信信号は、直行検波され、Ａ／Ｄ変換器によりディジタルデータに変換し、ベースバンド信号処理部５に伝送する。
【００１５】
ベースバンド信号処理部５には、受信ベースバンド信号処理部１２と送信ベースバンド処理部１４を含む。受信ベースバンド信号処理部１２は、ＲＦ部４から受信した信号を拡散符号同期（パスサーチ）、逆拡散、チャネル推定、Ｒａｋｅ合成、誤り訂正復号、データの分離・多重、セクタ間ダイバーシチ合成などのベースバンド信号処理を行う。送信ベースバンド信号処理部１４は、誤り訂正符号化、無線フレーム化、データ変調、拡散変調を行い、処理された信号をＲＦ部４に伝送する。
【００１６】
伝送路インタフェース部１３は、無線基地局装置２と無線ネットワーク制御装置３との伝送路として機能する。
【００１７】
図２は、図１の送信ベースバンド信号処理部１４の内部構成ブロック図である。まず全体の信号の流れを説明する。伝送路インタフェース部１３より伝送された送信信号を、送信ベースバンド信号処理部１４にて符号化、拡散などの処理を行い無線信号処理部１１へと伝送する。
【００１８】
つぎに送信ベースバンド信号処理部１４に関して説明する。ベースバンド信号処理部１４は送信データ制御部１５０と変調部１５１からなる。伝送路インタフェース部１３より伝送される送信信号をＦＩＦＯ(First In First Out)１５２に格納する。ＰＤＵ生成部１５３は、ＦＩＦＯ１５２より読み出したデータをＰＤＵフォーマット（Protocol Data Unit : プロトコルデータ単位）に分割してＰＤＵを生成する。符号化部１５４は、ＰＤＵ生成されたベースバンド信号を符号化処理する。拡散部１５５は、符号化後のデータを拡散し、無線信号処理部１１に伝送する。
【００１９】
図３、図４を参照して、本発明の動作を説明する。
【００２０】
図３は、伝送路インタフェース部１３からのパケットデータを格納しておくＦＩＦＯ１５２を表す。ＦＩＦＯ１５２には、図３の左からシリアルデータを２ｆ（Ｈｚ）のクロックを用いてライトする。ＦＩＦＯの１アドレスには、２ｆ（Ｈｚ）×８クロックかけてライトすることとなる。ＦＩＦＯにライトされたシリアルデータは、１アドレス−８ビットのパラレルデータとしてｆ（Ｈｚ）のクロックでリードされる。この時、リード時間はライト時間の１／４で処理できることとなる。
【００２１】
図４は、パケットデータをＰＤＵフォーマット長に分割させた時の分割方法を表した説明図である。ＰＤＵフォーマット長に分割されたパケットデータは、分割されたデータの長さ、何番目に分割されたデータである、などの情報をＨＤ（ヘッダ）に反映させてＰＤＵ毎に意味をもたせる処理を行う。ここまでの処理方法は既存方式、本発明方式とも同じである。次に本発明方式を既存と比較して説明する。
【００２２】
まず既存の方式について動作の説明をする。既存の方式は、パケットデータ毎にＰＤＵ生成を行う。連続して伝送されたパケットデータは、最初のパケットデータの処理が終了してから次のパケットデータのＰＤＵ生成を開始する。その結果、１パケットを処理するたびにＰａｄｄｉｎｇ（補充データ）を用いてＰＤＵ生成することとなる。
【００２３】
次に本発明の方式について説明する。本発明の方式は、パケットが連続して入力された時にパケットデータの結合によりＰＤＵ生成を行う。連続して伝送されたパケットデータは、図３のＦＩＦＯに格納されていてＰＤＵ生成ができる状態にあるとき、既存の回路のようにパケットごとＰａｄｄｉｎｇをせず、最初のパケットの最終ＰＤＵ生成時に次のパケットのパケットデータを連結することができる。さらに、既存の方式では必要なかった複数のパケットデータ情報が必要となるため、連結時のＨＤは同時に２つ以上のパケットデータ情報を持つことになる。これは図３のＦＩＦＯにデータをライトする時点で、記憶しておくことにより的確なＨＤ情報を付加することが可能となる。
【００２４】
図４に、本発明方式を用いてパケットデータからＰＤＵ生成することで発生する処理に費やす時間のゲインを示す。既存の方式は、パケットデータ毎にＰＤＵ生成を行う。そのため１パケットを処理するたびに補充データを用いる（パケットデータをＰＤＵフォーマットで分割した時、最後のＰＤＵを生成する際必要となるデータをＰａｄｄｉｎｇする。）こととなる。
【００２５】
本発明の方式は、パケットが連続して入力された時にパケットデータの結合によりＰＤＵを生成するので、パケット毎にＰａｄｄｉｎｇをする必要がない。パケット毎にＰａｄｄｉｎｇしないことは、処理時間の短縮に繋がる。つまり、パケットデータが連続して伝送される時、かつ、連続するパケットの後者がＰＤＵ生成できる状態、すなわち図３に示すＦＩＦＯに格納されている状態にて効果が発揮される。
【００２６】
【表１】
2005150827.tif 000003
【００２７】
上記をふまえて、本発明の方式で時間のゲインが一番大きい時を考慮したパケットデータ例を表１に表す。表１のＦＩＦＯライト時間、ＦＩＦＯリード時間は次のように計算する。図３のＦＩＦＯにライト時はシリアルデータを２ｆ（Ｈｚ）クロックでライト、リード時は８ｂｉｔパラレルデータをｆ（Ｈｚ）クロックでリードした時の算出値である。
【００２８】
パケットデータ長が最大（表１のパケット２）でＰＤＵ生成が行われる時、パケットデータ長が最小（表１のパケット１）で連続するパケットデータの伝送が行われた場合、表１で表されるＦＩＦＯライト時間、ＦＩＦＯリード時間により、パケット２がＦＩＦＯからリードされてＰＤＵ生成されるまでに、パケット１が１０パケット分ＦＩＦＯにライトできることになる。この１０パケット分のパケットデータの処理を本発明にて行うと、既存の処理より約１０ＰＤＵ分処理時間が短縮されることとなる。これを時間軸に置き換えてみると、ユーザアクセスが多く混雑した無線基地局装置ほど効果が大きくなることが分かる。
【産業上の利用可能性】
【００２９】
通信関連の信号処理にはパケットデータ処理を用いることが多い。パケットデータはそれぞれ意味を持つデータであるため、別々に処理することが一番容易で処理しやすいが、本発明のようにパケットの結合を意識した処理方法は、連続的にデータを処理する上で非常に効果が大きく現れる。また、処理方法も容易で基地局の構成をそのままに実現できるため、あらゆるフィールドで有効的に活用できる。
【図面の簡単な説明】
【００３０】
【図１】本発明の無線基地局装置の概略ブロック図である。
【図２】送信ベースバンド信号処理部の内部構成ブロック図である。
【図３】ＦＩＦＯを表す図である。
【図４】パケットデータのＰＤＵフォーマット長分割方法の説明図である。
【符号の説明】
【００３１】
１  アンテナ
２  無線基地局装置
３  無線ネットワーク制御装置
４  ＲＦ部（無線部）
５  ベースバンド信号処理部
１０  送受信増幅部
１１  無線信号処理部
１２  受信ベースバンド信号処理部
１３  伝送路インタフェース部
１４  送信ベースバンド処理部
１５０  送信データ制御部
１５１  変調部
１５２  ＦＩＦＯ
１５３  ＰＤＵ生成部
１５４  符号化部
１５５  拡散部
【図１】
2005150827.tif 000004
【図２】
2005150827.tif 000005
【図３】
2005150827.tif 000006
【図４】
2005150827.tif 000007